(57)【要約】【課題】コントラストを低下させずに濃度むらを補正することが可能な画像形成装置を提供すること。【解決手段】本実施形態の画像形成装置は、複数のノズルから構成されるプリントヘッドと、前記ノズルの最大吐出性能を示す調整チャートを取得する調整チャート取得部と、前記調整チャートを用いて、前記ノズルごとに最大吐出時における最大濃度特性を求める最大濃度算出部と、濃度むらを低減する補正パターンを生成する補正パターン生成部と、前記最大濃度特性と前記補正パターンに基づいて、前記ノズルごとの最大吐出量を制御する補正用制御パラメータを設定するパラメータ設定部と、前記補正用制御パラメータに基づいて前記ノズルごとの最大吐出量を制御するノズル制御部と、を有する。【選択図】図１
2013215920.tif 000002
【特許請求の範囲】
【請求項１】
複数のノズルから構成されるプリントヘッドと、
前記ノズルの最大吐出性能を示す調整チャートを取得する調整チャート取得部と、
前記調整チャートを用いて、前記ノズルごとに最大吐出時における最大濃度特性を求める最大濃度算出部と、
濃度むらを低減する補正パターンを生成する補正パターン生成部と、
前記最大濃度特性と前記補正パターンに基づいて、前記ノズルごとの最大吐出量を制御する補正用制御パラメータを設定するパラメータ設定部と、
前記補正用制御パラメータに基づいて前記ノズルごとの最大吐出量を制御するノズル制御部と、
を有する画像形成装置。
【請求項２】
前記補正パターンは、前記プリントヘッドの解像度に応じて、所定のノズル周期、繰り返しの数、振幅を有するパターンとする請求項１記載の画像形成装置。
【請求項３】
前記パラメータ設定部は、前記補正パターンの最低値を、前記最大濃度特性が最低となるノズルの最低濃度と対応付けて設定する最低濃度設定部と、
前記最低濃度設定部で処理された補正パターンをノズル列方向に繰り返し、かつ補正パターンの振幅をスケーリングし、このスケーリング後の補正パターンの平均値を、前記最大濃度特性の平均値と対応付けて設定するスケーリング処理部と、
前記スケーリング処理部で処理された補正パターンを前記最大濃度特性でマスキングするマスキング処理部と、
前記マスキング処理部で処理された補正パターンを、前記ノズルごとの最大吐出量として設定し、さらに低濃度から高濃度領域の吐出量に対するガンマカーブ特性を設定するガンマカーブ設定部と、
を有する請求項２記載の画像形成装置。
【請求項４】
前記ガンマカーブ設定部は、前記複数のノズルに対し、低濃度領域から中濃度領域の吐出量に対するガンマカーブ特性を略等しく設定する請求項３記載の画像形成装置。
【請求項５】
前記ガンマカーブ設定部は、高濃度領域の吐出量に対する前記ノズルごとのガンマカーブ特性を、前記ノズルごとの最大吐出量と前記中濃度領域の吐出量とが接続するように補間する請求項４記載の画像形成装置。
【請求項６】
前記最低濃度設定部は、前記補正パターンの最低値を、前記最大濃度特性が最低となるノズルの最低濃度と略一致するように設定し、かつ、前記スケーリング処理部は、前記スケーリング後の補正パターンの平均値を、前記最大濃度特性の平均値に略一致するように設定する請求項５記載の画像形成装置。
【発明の詳細な説明】
【技術分野】
【０００１】
本発明の実施形態は、プリントヘッドの吐出特性差に起因する濃度むらを補正する画像形成装置に関する。
【背景技術】
【０００２】
複数のノズルで構成されるプリントヘッドを用いて画像形成を行う画像形成装置は、ノズル間の吐出特性のばらつきにより印刷画面に濃度むらが生ずるという問題がある。
【０００３】
濃度むらには、帯状のもの、すじ状のものなどがある。帯状のむらは周囲に比べ、吐出濃度が低いノズルが連続して隣接する場合に観測されやすく、すじ状のむらは隣接ノズル間の吐出濃度差が大きい場合に観測されやすい特徴がある。
【０００４】
このような、ノズル間の吐出特性のばらつきを補正するものとして、印刷された画像データに含まれるエッジ画素量を評価し、その評価結果に応じて、平滑化処理を行い、画像データを補正するものがある（特許文献１参照）。
【０００５】
また、個々のノズルの吐出特性をあらかじめ調査しておき、その吐出特性を装置内の制御メモリ内にテーブルとして保存しておき、吐出特性を補正するものがある（例えば特許文献２参照）。
【０００６】
特に、高濃度の均一画像データに対してプリントヘッドの一部エリアに濃度低下が生じるとむらが目立ちやすい。この濃度むらを補正するために、すべてのノズルの印字濃度を、濃度低下を生じている印字濃度に揃えるという方法があるが、これでは画像全体に濃度低下が生じてしまい、適切なコントラストが得られないという問題がある。
【先行技術文献】
【特許文献】
【０００７】
【特許文献１】特開２０１０−１６４８８号公報
【特許文献２】特開２００６−５１６７７号公報
【発明の概要】
【発明が解決しようとする課題】
【０００８】
本発明が解決しようとする課題は、上記問題を解決し、コントラストを低下させずに濃度むらを補正することが可能な画像形成装置を提供することである。
【課題を解決するための手段】
【０００９】
上記課題を達成するために、本実施形態の画像形成装置は、複数のノズルから構成されるプリントヘッドと、前記ノズルの最大吐出性能を示す調整チャートを取得する調整チャート取得部と、前記調整チャートを用いて、前記ノズルごとに最大吐出時における最大濃度特性を求める最大濃度算出部と、濃度むらを低減する補正パターンを生成する補正パターン生成部と、前記最大濃度特性と前記補正パターンに基づいて、前記ノズルごとの最大吐出量を制御する補正用制御パラメータを設定するパラメータ設定部と、前記補正用制御パラメータに基づいて前記ノズルごとの最大吐出量を制御するノズル制御部と、を有する。
【図面の簡単な説明】
【００１０】
【図１】第１の実施形態における画像形成装置の全体構成図。
【図２】同実施形態における濃度補正部、プリントヘッド、およびドラムの関係図。
【図３】同実施形態におけるプリントヘッドの構成図。
【図４】同実施形態における濃度補正部のブロック構成図。
【図５】同実施形態におけるパラメータ設定部のブロック構成図。
【図６】同実施形態におけるノズル単位のガンマカーブ特性を取得するためのフローチャート図。
【図７】同実施形態における調整チャートの例。
【図８】同実施形態におけるノズルの吐出性能を示すガンマカーブ特性の例。
【図９】同実施形態における濃度むら補正処理のフローチャート図。
【図１０】同実施形態におけるノズルと最大濃度（最大吐出量）との関係。
【図１１】同実施形態における補正パターンの最低濃度設定処理の説明図。
【図１２】同実施形態における補正パターンのスケーリング処理の説明図。
【図１３】同実施形態における補正パターンのマスキング処理の説明図。
【図１４】同実施形態における濃度むら補正後のガンマカーブ特性の例。
【図１５】同実施形態における画質調整モード選択のフローチャート図。
【図１６】同実施形態における濃度むら補正処理のＵＩパネルの画面例。
【発明を実施するための形態】
【００１１】
以下、実施形態について図１から図１６を参照しながら詳細に説明する。
【００１２】
（第１の実施形態）
本実施形態の画像形成装置は、カラーインクジェットプリンタなどの画像形成装置の他に、高解像度でカラー印刷を行うカラー複写機などが含まれる。さらには原紙をスキャンして複写する機能、外部機器との通信を行う機能、ファクシミリ装置としての送受信及び印刷する機能など多彩な処理を行うことができる複合機器（ＭＦＰ）なども含まれる。
【００１３】
図１に示す本実施形態の画像形成装置１は大きく分けて、原稿を読み取るスキャナ部１１、画像形成装置１を統合して制御する主制御部１２、および用紙Ｐにプリントして出力するプリンタ部１３を有している。
【００１４】
また、スキャナ部１１は、原稿を読み取る原稿台１１１と、原稿を照明する光源１１２、原稿の反射光を導くミラー１１３ａ、１１３ｂ、１１３ｃ、反射光を集光するレンズ１１４およびラインセンサ部１１５を有する。矢印で示すように、スキャナ部１１の原稿台１１１より読取られる原稿パターンは、光源１１２により照射され、この反射光がミラー１１３ａ、１１３ｂ、１１３ｃからレンズ１１４を介してラインセンサ部１１５に入射する。ラインセンサ部１１５では、これをカラー別に配置されたラインセンサによって光電変換し画像信号を出力する。
【００１５】
主制御部１２は、プロセッサ、および内部メモリなどから構成され、フラッシュメモリ、ＵＳＢメモリなどの外部記憶装置から印刷データを読み出す入出力ＩＦ（インタフェース）１４、ネットワークまたは直接接続されたＰＣ（パーソナルコンピュータ）から印刷データを受信する通信ＩＦ１５、および保守・調整などの各種設定値の入力や印刷ステータスなどを表示するユーザインタフェースパネル（ＵＩパネル）１６、スキャナ部１１で取得した画像データの信号処理を行うスキャナ信号処理部１７、主制御部のプロブラムや保守・調整などの設定情報などを保存する記憶部１８、印刷する画像データの画像処理を行う画像処理部１９、および濃度むらを補正する濃度補正部２０などを統合して制御する。
【００１６】
プリンタ部１３は、給紙カセット１３０、ピックアップローラ１３１、レジストセンサ１３２、レジストローラ１３３、ドラム１３４、プリントヘッド部１３５、複数の搬送ローラ１３６ａ、１３６ｂ、１３６ｃ、排紙口１３７、剥離爪１３８、帯電ローラ１３９、および除電チャージャ１４０などを有している。
【００１７】
給紙カセット１３０からピックアップローラ１３１にて取り出された用紙Ｐは、レジストセンサ１３２、レジストローラ１３３によって用紙Ｐの先端部が検出される。その後、帯電ローラ１３９にて電荷を与えられることでドラム１３４に密着しながらプリントヘッド部１３５まで搬送される。プリントヘッド部１３５による画像形成後は、除電チャージャ１４０で用紙Ｐの電荷を除去する。用紙Ｐを剥離爪１３８にてドラム１３４から剥離した後、搬送ローラ１３６ａ、１３６ｂ、１３６ｃで搬送され、排紙口１３７から排紙する。
【００１８】
図２は、濃度補正部２０、プリントヘッド部１３５、およびドラム１３４の関係を示している。プリントヘッド部１３５は、複数のプリントヘッド（ここでは、３１ａ〜３１ｅの５つ）を横方向（ドラムの軸方向）に並置して構成する。プリントヘッド３１ａ〜３１ｅ端部同士の重なりを避けるため、プリントヘッド３１ａ〜３１ｅは千鳥状に配置されている。このプリントヘッド３１の千鳥状の配置によってインクを吐出する複数のノズル列が形成される。
【００１９】
図３は、プリントヘッド３１の構成を示している。この例では、ノズル番号０〜ノズル番号ａまでの１０個のノズル３２が示されている。解像度を上げるために、隣接するノズルは、互い違いに配置される。なお、ここで示したプリントヘッド３１の数、およびノズル数は説明のための便宜上の数であり、これに限定されない。
【００２０】
画像処理部１９で画像処理された画像データは、濃度補正部２０によって各ノズル３２の吐出量が制御され、用紙Ｐが密着したドラム３４を回転させることにより、用紙Ｐ上に画像信号に応じた濃度分布の画像を形成する。
【００２１】
図４は、濃度補正部２０のブロック構成図である。濃度補正部２０は、調整チャート取得部４１、最大濃度算出部４２、補正パターン生成部４３、パラメータ設定部４４、およびノズル制御部４５を有する。
【００２２】
また、図５は、パラメータ設定部４４のブロック構成図である。パラメータ設定部４４は、最低濃度設定部５１、スケーリング処理部５２、マスキング処理部５３、およびガンマカーブ設定部５４を有している。
【００２３】
本実施形態では、以上のように構成された画像形成装置１において、ノズルの吐出性能のバラツキをノズル列方向に周期の短い繰り返しパターンで補正することで、コントラスト低下を生じさせずに高濃度領域の濃度むらが目立たないように補正を行うものである。
【００２４】
まず、プリントヘッド部１３５の各ノズル３２の最大吐出性能を求める。図６は、ノズル単位のガンマカーブ特性を取得するためのフローチャート図である。
【００２５】
ステップＳＴ６０１では、各ノズルの０から最大までの吐出量が印字できる調整チャートを印刷する。例えば、図７に示すように、プリントヘッド部１３５を形成するｎ個（ｎは任意の自然数）の全ノズル３２に対して、吐出量を制御する入力制御値の最小値から最大値までを順次入力し、そのチャートを印刷する。そうすると、横方向がノズル列方向となり、縦方向が印刷濃度となるチャートが得られる。ここでは、このチャートを調整チャートと呼ぶことにする。
【００２６】
図７では説明のためＡ〜Ｇまでの７段階の印刷濃度を示しているが、実際は入力制御値に従って徐々に濃度が増加している。この時、印刷濃度Ｇが入力制御値の最大値を受けてノズル３２が印刷した最大濃度である。この最大濃度は、各ノズル３２の最大吐出性能と考えることができる。
【００２７】
次に、ステップＳＴ６０２では、印刷された調整チャートをスキャナ部１１で読み込み、デジタルデータに変換する。
【００２８】
そしてステップＳＴ６０３では、図７に示すように、例えば、Ａ〜Ｇまでの７段階の印刷濃度に対応する入力制御値において、ノズル列方向に印刷濃度を記録していく。これにより濃度むらの測定が完了する（ステップＳＴ６０４）。以上までの処理は、調整チャート取得部４１によって行われる。
【００２９】
ステップＳＴ６０５では、ステップＳＴ６０４の濃度むらの測定に基づいて、印刷したノズル３２と印刷濃度の対応関係を求める。すなわち、どのノズル３２がどの印刷濃度で印字したかのマッチングを行う。これにより、例えば印刷濃度Ｇに対してマッチングを行えば、各ノズル３２の最大吐出性能が得られる。
【００３０】
ステップＳＴ６０６では、ステップＳＴ６０５の対応関係から、各ノズル３２のガンマカーブ特性を算出する。図８は、各ノズル３２の吐出性能を示すガンマカーブ特性の例である。横軸が入力制御値であり、縦軸が印刷濃度である。ここで横軸の入力制御値Ｌ０、Ｌ１、Ｌ２、およびＬ３にて、入力制御値の領域を区分けしている。入力制御値Ｌ０〜Ｌ１までを低濃度領域Ｒ１、入力制御値Ｌ１〜Ｌ２までを中濃度領域Ｒ２、入力制御値Ｌ２〜Ｌ３までを高濃度領域Ｒ３とする。
【００３１】
各入力制御値に対する印刷濃度をプロットしていくことで、各ノズル３２のガンマカーブ特性８１が得られる（ここでは、ｎ個のノズルに対するガンマカーブ特性８１ａ〜８１ｎのうち４つを代表して示す）。最大濃度を印刷したノズル３２のガンマカーブ特性は８１ａであり、最低濃度を印刷したノズル３２のガンマカーブ特性は８１ｎである。
【００３２】
また、ノズルの吐出性能によっては、中濃度領域Ｒ２でも印刷濃度が異なる場合があるかも知れない。この場合には入力制御値に補正をし、低濃度領域Ｒ１から中濃度領域Ｒ２における各ノズル３２のガンマカーブ特性を略一致させておくことが好ましい。
【００３３】
以上のステップで、各ノズル３２の最大吐出性能が求められる。ここまでのステップＳＴ６０５およびステップＳＴ６０６の処理は、最大濃度算出部４２で行われる。
【００３４】
次に、この各ノズル３２の最大吐出性能を用いて濃度むら補正を行う。図９は、濃度むら補正処理のフローチャート図である。
【００３５】
ステップＳＴ９０１では、最大吐出時における最大濃度特性から最低濃度のノズルを抽出する。図１０は、ノズルと最大吐出量との関係を示している。図１０は、図７の印刷濃度Ｇに対して各ノズル３２のマッチングを行なったものである。正確には図８の入力制御値Ｌ３での印刷濃度をノズル番号順に並べたものである。このグラフを最大濃度特性Ｍと呼ぶことにする。この最大濃度特性Ｍの中から最低濃度のノズルを抽出する。図１０の例では、ノズル番号Ｌに対するノズル３２Ｌが最低濃度のノズルである。
【００３６】
ステップＳＴ９０２では、補正パターンの最低値を最低濃度のノズルに設定する。図１１は、補正パターンの最低濃度設定処理の説明図である。補正パターンＨ１は、例えば１００ＤＰＩ（Dot Per Inch）の解像度を持つプリントヘッドであれば、４から５ドット（ノズル数）の短い周期のパターンが所定数繰り返されたパターンである。ここでこの短い周期のことをここではノズル周期と呼ぶことにする。この補正パターンＨ１によって、帯状やスジ状の濃度むらを補正することができるが、若干のざらつき感が残る。このため、この補正パターンＨ１のノズル周期、繰り返しの数、振幅などの条件は人間の視覚特性と、プリントヘッド部１３５の解像度、吐出量、およびインクのにじみ量などから、ざらつき感が低減されるような最適な条件を求める。なお、補正パターンＨ１は補正パターン生成部４３で生成する。
【００３７】
図１１では、補正パターンＨ１に対して最低値を最低濃度のノズル３２Ｌの印刷濃度と等しくなるように設定される。ただし、必ずしもこれらを等しく設定させる必要はなく、補正パターンＨ１の最低値を、最大濃度特性Ｍが最低となるノズルの最低濃度と対応付けて所定の値に設定すればよい。これにより、ざらつき感と濃度むらなどに対する補正効果の調整が行える。ステップＳＴ９０２の動作は、最低濃度設定部５１で行われる。
【００３８】
ステップＳＴ９０３では、補正パターンＨ１のスケーリングを行い、さらにこの補正パターンを繰り返し適用する。図１２は、スケーリング処理の説明図である。まず、図１１において、補正パターンＨ１の平均値Ｈ１Ａと、最大濃度特性Ｍの平均値ＭＡを求める。
【００３９】
図１２において、ステップＳＴ９０２で設定した補正パターンＨ１の最低値を固定したまま、振幅方向にスケーリングを行い、さらに補正パターンをノズル列方向に繰り返していく（このスケーリング後の補正パターンをＨ２とする）。
【００４０】
この時、図１２では、補正パターンＨ２の平均値Ｈ２Ａと、最大濃度特性Ｍの平均値ＭＡが一致するようにスケーリングがなされる。ただし、必ずしもこれらを一致させる必要かなく、補正パターンＨ２の平均値Ｈ２Ａと、最大濃度特性の平均値ＭＡと対応付けて所定の値に設定すればよい。これにより、ざらつき感とコントラストなどに対する補正効果の調整が行える。なお、ステップＳＴ９０３の動作は、スケーリング処理部５２で行われる。
【００４１】
ステップＳＴ９０４では、マスキング処理による、各ノズル３２の最大吐出量を設定する。図１３は、補正パターンＨ２のマスキング方法の説明図である。図１３に示すように、ステップＳＴ９０３で行われたスケーリング処理により、プリントヘッド部１３５のノズル列方向に補正パターンＨ２が繰り返され、最大濃度特性Ｍによるマスキングが行われる。
【００４２】
この時、最大濃度特性Ｍが補正パターンＨ２の濃度よりも大きいか等しい場合は、ノズル３２の最大吐出量を補正パターンＨ２の濃度になるよう調整し、最大濃度特性Ｍが補正パターンＨ２の濃度よりも低い場合は、その該当するノズル３２は、それ以上の濃度で印刷することはできないため、最大濃度特性Ｍとなるよう調整する。このマスキング処理によって、全てのノズル３２に対する最大吐出量が設定される。この最大吐出量が設定された補正パターンをＨ３とする。なお、このステップＳＴ９０３は、マスキング処理部５３で行われる。
【００４３】
ステップＳＴ９０５では、各ノズル３２の低濃度領域から中濃度領域のガンマカーブ特性を等しく設定する。図１４は、濃度むら補正後のガンマカーブ特性を示している。ステップＳＴ９０１からＳＴ９０４では、図１４に示す入力制御値Ｌ３に対する印刷濃度設定値を決定したことになる。ここで、低濃度領域Ｒ１、および中濃度領域Ｒ２においては、各ノズルのガンマカーブ特性１４１を全て等しく設定する。
【００４４】
次にステップＳＴ９０６では、高濃度領域Ｒ３のガンマカーブを、補正パターンＨ３で設定された各ノズル３２の最大吐出量と中濃度領域Ｒ２のガンマカーブ点Ｅから補間することにより、各ノズル３２のガンマカーブ特性１４１ａ〜１４１ｎが設定される。なお、ステップＳＴ９０５およびＳＴ９０６は、ガンマカーブ設定部５４で行われる。ガンマカーブ設定部５４で設定されたガンマカーブ特性１４１は、補正用制御パラメータとしてパラメータ設定部４４に入力され、ノズル制御部４５で各ノズル３２が制御される。
【００４５】
上記のステップにより、全てのノズル３２に関して、低濃度領域Ｒ１から高濃度領域Ｒ３までの入力制御値に対応する補正された吐出量が設定される。低濃度領域Ｒ１から中濃度領域Ｒ２までは、等しいガンマカーブ特性で印刷されるため濃度むらは起こらず、高濃度領域Ｒ３では、補正パターンＨ３の短い周期での濃淡で印刷される。しかし、この短い周期の濃淡は、人間の視覚ではざらつき感として感じられ、濃度むらとは認識されない。しかも、ステップＳＴ９０３（および図１２）に示したように、もとの最大濃度特性Ｍと補正パターンＨ２の平均値を略一致して設定してあることから、コントラスト低下を生じさせないで濃度むら補正が可能である。
【００４６】
最後に、本実施形態の濃度むら補正をＵＩパネル１６から設定するための手順を図１５のフローチャートを用いて説明する。また、図１６は濃度むら補正処理時のＵＩパネルの画面例である。
【００４７】
ステップＳＴ１５１において、操作者は、ＵＩパネル１６から、画質調整モードを選択する。濃度むらを補正する画質調整モードを選択していれば（ステップＳＴ１５１：Ｙｅｓ）、ステップＳＴ１５２に進む。
【００４８】
そしてステップＳＴ１５２では、操作者は、図６の調整チャートを印刷するために、図１６の「調整チャート印刷」実行ボタン１６２を押下する。主制御部１２は、ステップＳＴ６０１の調整チャートを印刷するために、パラメータ設定部４４に各ノズル３２の０から最大の吐出量が得られる調整チャート用パラメータを設定する。
【００４９】
ステップＳＴ１５３では、ノズル制御部４５を制御して、調整チャートを印刷する。
【００５０】
次のステップＳＴ１５４では、操作者は、印刷された調整チャートをスキャナ部１１の原稿台１１１にセットし、「調整チャート読み取り」実行ボタン１６３を押下する。実行中は、進捗状況や指示のメッセージを表示するとともに、網点で示すように反転表示や点滅表示などで処理が実行中であることを示す。
【００５１】
ステップＳＴ１５５では、ステップＳＴ１５４の「調整チャート読み取り」に続いて、ステップＳＴ６０５〜ステップＳＴ６０６、並びにステップＳＴ９０１〜ＳＴ９０６を行い、補正用制御パラメータを算出し記憶する。
【００５２】
ステップＳＴ１５５では、この補正用制御パラメータをパラメータ設定部４４に設定する。なお、ここで補正が正しくできたかどうかを確認するテスト印刷を行っても良い。
【００５３】
ステップＳＴ１５７（ステップＳＴ１５１：Ｎｏ）では、画質調整モードから通常印刷モードに戻り、ステップＳＴ１５５で設定された補正用制御パラメータにより通常印刷が行われる。
【００５４】
以上述べたように、第１の実施形態によれば、高濃度の画像データに対しては、人間の視覚限界の短い周期の濃淡で印刷されるため、若干のざらつき感はあるものの濃度むらを低減することが可能である。しかも、コントラスト低下を生じさせることなく濃度むら補正が可能である。
【００５５】
実施形態では、例えばＫ（ブラック）色の濃度むら補正について記述したが、カラーの場合はこれをプリンタヘッド色数、例えばＹ（イエロ）、Ｍ（マゼンダ）、Ｃ（シアン）、Ｋ（ブラック）の全てにおいて同様の濃度むら補正を行えばよい。
【００５６】
また、図１５に示したＵＩパネルからの操作は、通信ＩＦ１５を介して接続されたＰＣなどから設定してもよい。
【００５７】
本発明の実施形態では装置内部に発明を実施する画像処理機能があらかじめ主制御部１２ならびに記憶部１８にプログラムとして記録されている場合で説明をしたが、これに限らず同様の機能をネットワークから本画像形成装置にダウンロードしても良い。また、同様の機能を記録媒体に記録させたものを装置にインストールしてもよい。
【００５８】
記録媒体としては、ＣＤ−ＲＯＭ等のプログラムを記録でき、かつ装置が読み取り可能な記録媒体であれば、その形態は何れの形態であっても良い。また、このようにあらかじめインストールやダウンロードにより得る機能は装置内部のＯＳ（オペレーティング・システム）等と協働してその機能を実現させるものであってもよい。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１…画像形成装置、
４１…調整チャート取得部、
４２…最大濃度算出部、
４３…制御パターン生成部、
４４…パラメータ設定部、
４５…ノズル制御部。
【図１】
2013215920.tif 000003
【図２】
2013215920.tif 000004
【図３】
2013215920.tif 000005
【図４】
2013215920.tif 000006
【図５】
2013215920.tif 000007
【図６】
2013215920.tif 000008
【図８】
2013215920.tif 000009
【図９】
2013215920.tif 000010
【図１０】
2013215920.tif 000011
【図１１】
2013215920.tif 000012
【図１２】
2013215920.tif 000013
【図１３】
2013215920.tif 000014
【図１４】
2013215920.tif 000015
【図１５】
2013215920.tif 000016
【図１６】
2013215920.tif 000017
【図７】
2013215920.tif 000018